(57)【要約】【課題】記録された番組中の希望するシーンからの再生出力を簡単な操作によって指定することができるようにする。【解決手段】テレビ１は、デジタルテレビ放送の番組データ（映像・音声データ）を映像・音声データ保存部１９に記録すると共に、番組データと関連付けられたメタデータ（番組関連データ）をメタデータ保存部１３に記録する。メタデータ保存部１３に記録されたメタデータは、データ送受信部１４からリモコン２に送信される。リモコン２からユーザ操作によって選択されたメタデータを受信すると、このメタデータに該当する再生位置から映像・音声データ保存部１９に記録された番組データを再生出力する。【選択図】      図２
2006025120.tif 000002
【特許請求の範囲】
【請求項１】
デジタルテレビ放送の番組データを記録再生する記録再生装置を遠隔制御する遠隔制御装置において、
前記録画再生装置に記録された番組データと関連づけられた番組関連データを受信する受信手段と、
前記受信手段によって受信された番組関連データに基づいて、複数の選択肢を含む選択メニューを表示する表示手段と、
前記表示手段によって表示された選択メニューから選択肢を選択させる選択手段と、
前記選択手段によって選択された選択肢に応じた番組関連データを前記録画再生装置に送信する送信手段と
を具備したことを特徴とする遠隔制御装置。
【請求項２】
前記表示手段によって表示される選択メニューの表示切り替えの要求を入力する切替要求手段を有し、
前記表示手段は、前記切替要求手段によって入力された要求に応じて、前記番組関連データに含まれる複数種のデータの何れかを用いた選択メニューに表示を切り替えることを特徴とする請求項１記載の遠隔制御装置。
【請求項３】
デジタルテレビ放送の番組データを記録する放送記録手段と、
前記放送記録手段により記録された番組データと関連付けられた番組関連データを記録する番組関連データ記録手段と、
前記番組関連データ記録手段に記録された番組関連データを遠隔制御装置に送信する送信手段と、
前記送信手段によって送信した番組関連データから前記遠隔制御装置において選択された番組関連データを受信する受信手段と、
前記受信手段によって受信した番組関連データに該当する再生位置から、前記放送記録手段に記録された番組データを再生出力する再生出力手段と
を具備したことを特徴とする記録再生装置。
【請求項４】
前記番組関連データ記録手段は、前記番組データに付加されている番組関連データに、番組データの再生位置を表す時刻データを対応付けて記録することを特徴とする請求項３記載の記録再生装置。
【請求項５】
前記番組データから番組の特徴を表す特徴データを抽出する特徴抽出手段と、
前記特徴抽出手段によって抽出された特徴データをもとに番組関連データを生成する番組関連データ生成手段とを有し、
前記番組関連データ記録手段は、前記番組関連データ生成手段によって生成された番組関連データに、番組データ中の再生位置を表す時刻データを対応付けて記録することを特徴とする請求項３記載の記録再生装置。
【請求項６】
前記番組関連データは、前記番組データ中の映像の種類、前記番組データの内容に関わる属性またはキーワードの何れかを記述するもので、
前記再生出力手段は、前記受信手段によって受信した番組関連データが示す映像の種類、属性あるいはキーワードに該当する再生位置から番組データを再生出力することを特徴とする請求項３記載の記録再生装置。
【請求項７】
前記番組関連データに対する切り替え要求を前記遠隔制御装置から受信する要求受信手段を有し、
前記送信手段は、前記要求受信手段によって受信された要求に応じて、前記番組関連データに含まれる複数種のデータの何れか選択して送信することを特徴とする請求項３記載の記録再生装置。
【発明の詳細な説明】
【技術分野】
【０００１】
本発明は、例えばデジタルテレビ放送により受信された番組コンテンツを記録再生する記録再生装置、及び同装置を遠隔制御する遠隔制御装置に関する。
【背景技術】
【０００２】
近年では、ビデオ記録再生装置において、ハードディスク装置等のランダムアクセスが可能なストレージが採用され、ビデオコンテンツをデジタルデータで保存することが一般的となっている。ビデオコンテンツを保存するためのハードディスク容量も大きくなってきており、何十時間分ものビデオコンテンツを録画できるようになってきている。
【０００３】
一方、地上波デジタルテレビ放送も開始され、デジタルコンテンツの提供も増えてきている。
【０００４】
従来、記録再生装置に対しては、記録された長時間のビデオコンテンツから希望する場面から簡単に再生することが要求されている。そのために従来では、録画されたビデオコンテンツの時間軸に対応するタイムバーを画面上に表示し、またタイムバー上に動画中の特徴的な場面であるイベント場面の開始位置を示すアイコンを表示し、視聴者がリモコンを操作してアイコンを選択することによって、選択されたアイコンに対応するイベント場面の開始位置から映像の再生を開始できる装置が考えられている（例えば特許文献１参照）。
【特許文献１】特開２００１−２９２４０２号公報
【発明の開示】
【発明が解決しようとする課題】
【０００５】
引用文献１に記載されて装置では、タイムバーのアイコンをリモコン操作によって選択することによって、アイコンのタイムバー上の位置に応じたイベント場面から画像を再生することができる。
【０００６】
しかしながら、引用文献１の装置では、画面に表示されたアイコンの種類とタイムバーの位置とから、ユーザが希望するイベント場面の位置を予測して選択操作をしなければならない。画面に表示されるアイコンの種類、すなわちイベント場面とする位置は予め決められているために、アイコンが付されていない位置からの再生を指定することができなかった。
【０００７】
また、テレビの画面に表示されたタイムバーを見ながらリモコン操作をしなければならず、リモコン操作に慣れていないため、リモコンに設けられたボタンの配列などを記憶していない場合には、テレビの画面とリモコンのボタンを確認しながら操作をしなければならず操作性が悪かった。
【０００８】
本発明の課題は、記録された番組中の希望するシーンからの再生出力を簡単な操作によって指定することが可能な記録再生装置、遠隔制御装置を提供することにある。
【課題を解決するための手段】
【０００９】
請求項１記載の発明は、デジタルテレビ放送の番組データを記録再生する記録再生装置を遠隔制御する遠隔制御装置において、前記録画再生装置に記録された番組データと関連づけられた番組関連データを受信する受信手段と、前記受信手段によって受信された番組関連データに基づいて、複数の選択肢を含む選択メニューを表示する表示手段と、前記表示手段によって表示された選択メニューから選択肢を選択させる選択手段と、前記選択手段によって選択された選択肢に応じた番組関連データを前記録画再生装置に送信する送信手段とを具備したことを特徴とする。
【００１０】
請求項２記載の発明は、請求項１記載の発明において、前記表示手段によって表示される選択メニューの表示切り替えの要求を入力する切替要求手段を有し、前記表示手段は、前記切替要求手段によって入力された要求に応じて、前記番組関連データに含まれる複数種のデータの何れかを用いた選択メニューに表示を切り替えることを特徴とする。
【００１１】
請求項３記載の発明は、デジタルテレビ放送の番組データを記録する放送記録手段と、前記放送記録手段により記録された番組データと関連付けられた番組関連データを記録する番組関連データ記録手段と、前記番組関連データ記録手段に記録された番組関連データを遠隔制御装置に送信する送信手段と、前記送信手段によって送信した番組関連データから前記遠隔制御装置において選択された番組関連データを受信する受信手段と、前記受信手段によって受信した番組関連データに該当する再生位置から、前記放送記録手段に記録された番組データを再生出力する再生出力手段とを具備したことを特徴とする。
【００１２】
請求項４記載の発明は、請求項３記載の発明において、前記番組関連データ記録手段は、前記番組データに付加されている番組関連データに、番組データの再生位置を表す時刻データを対応付けて記録することを特徴とする。
【００１３】
請求項５記載の発明は、請求項３記載の発明において、前記番組データから番組の特徴を表す特徴データを抽出する特徴抽出手段と、前記特徴抽出手段によって抽出された特徴データをもとに番組関連データを生成する番組関連データ生成手段とを有し、前記番組関連データ記録手段は、前記番組関連データ生成手段によって生成された番組関連データに、番組データ中の再生位置を表す時刻データを対応付けて記録することを特徴とする。
【００１４】
請求項６記載の発明は、請求項３記載の発明において、前記番組関連データは、前記番組データ中の映像の種類、前記番組データの内容に関わる属性またはキーワードの何れかを記述するもので、前記再生出力手段は、前記受信手段によって受信した番組関連データが示す映像の種類、属性あるいはキーワードに該当する再生位置から番組データを再生出力することを特徴とする。
【００１５】
請求項７記載の発明は、請求項３記載の発明において、前記番組関連データに対する切り替え要求を前記遠隔制御装置から受信する要求受信手段を有し、前記送信手段は、前記要求受信手段によって受信された要求に応じて、前記番組関連データに含まれる複数種のデータの何れか選択して送信することを特徴とする。
【発明の効果】
【００１６】
請求項１記載の発明によれば、録画再生装置に記録された番組データと関連づけられた番組関連データ（メタデータ）を受信して、この番組関連データに基づいて選択メニューを表示するので、ユーザは、手元に保持している遠隔制御装置において表示された選択メニューを見ながら選択操作をすることができ操作が容易となる。
【００１７】
請求項２記載の発明によれば、請求項１の発明の効果に加えて、選択メニューの表示切り替えの要求に応じて、番組関連データに含まれる複数種のデータの何れかを用いた選択メニューに表示を切り替えることができるので、ユーザは、現在表示されている選択メニューから番組データ中から希望する再生位置を指定できない場合には、選択メニューを切り替えることで、希望する再生位置を容易に指定できるようになる。
【００１８】
請求項３記載の発明によれば、番組データと関連付けられた番組関連データをを遠隔制御装置に送信することで、遠隔制御装置において番組関連データをもとにした番組データの再生位置を選択させて番組データを再生出力することができる。番組データの再生位置を選択させるための表示などが必要ないため、番組などの映像表示が損なわれることがない。
【００１９】
請求項４記載の発明によれば、請求項３の発明の効果に加えて、番組データに付加されている番組関連データに、番組データの再生位置を表す時刻データを対応付けて記録するので、番組データの再生位置と番組関連データとを時刻データをもとに対応付けることができ、番組関連データを指定するだけで、再生出力すべき番組データを抽出することができる。
【００２０】
請求項５記載の発明によれば、請求項３の発明の効果に加えて、番組データから番組の特徴を表す特徴データを抽出し、この抽出された特徴データをもとに番組関連データを生成して記録できるので、例えばデジタルテレビ放送によって受信される番組データに番組関連データが付加されていない場合であっても、番組関連データをもとにした番組データについての再生位置の選択が可能となる。
【００２１】
請求項６記載の発明によれば、請求項３の発明の効果に加えて、番組データ中の映像の種類、番組データの内容に関わる属性またはキーワードに該当する再生位置から任意に番組データを再生出力することができるようになる。
【００２２】
請求項７記載の発明によれば、請求項３の発明の効果に加えて、番組関連データに対する切り替え要求を遠隔制御装置から受信した場合に、この要求に応じて番組関連データに含まれる複数種のデータの何れか選択して送信するので、遠隔制御装置において複数種のデータの何れかを用いた選択メニューに表示を切り替えることができる。ユーザは、現在、表示されている選択メニューから番組データ中の希望する再生位置を指定できない場合には、遠隔制御装置から選択メニューの切り替えを要求を指示することで希望する再生位置を容易に指定できるようになる。
【発明を実施するための最良の形態】
【００２３】
以下、図面を参照して本発明の実施の形態について説明する。
【００２４】
図１は、本実施形態における記録再生装置としてのテレビ１と、遠隔制御装置としてのリモートコントローラ（以下、リモコンと略称する）２からなるシステム構成を示す図、図２は図１中に示すテレビ１とリモコン２の機能構成を示すブロック図である。
【００２５】
図１に示すテレビ１は、デジタルテレビ放送を受信して記録再生することができる機能が搭載されている。リモコン２は、テレビ１を遠隔操作するためのもので、例えば赤外線により制御信号がテレビ１との間で送受信される。また、本実施形態におけるテレビ１は、デジタルテレビ放送により受信した番組データ（映像・音声データ）に付加されているメタデータ（番組関連データ）を、リモコン２に対して送信することができる。メタデータは、番組に関する様々なデータを含むもので、映像・音声データに対しては、例えば映像の種類（ドラマで事件が起こった場面、野球でホームランがでた場面等のシーン内容を表す）、属性（ドラマにおける導入部、場面変換部、野球の回（表、裏）等のシーンの状況を表す）、キーワード（ドラマの登場出演者名、野球のバッター名等のシーン中に現れる対象名等を表す）のデータが記述されている。リモコン２は、テレビ１から受信したメタデータをもとにメニューを表示してユーザにより選択させ、メタデータに応じた再生位置からの再生実行（シーンジャンプ）を指示することができる。テレビ１は、ユーザにより選択されたメタデータに応じた再生位置（シーン）から番組を出力させる。
【００２６】
図２に示すように、テレビ１には、ＣＰＵ１０、メモリ１１、メタデータ処理部１２、メタデータ保存部１３、データ送受信部１４、送受光部１４ａ、ディジタルチューナ１５、映像・音声処理部１６、ディスプレイ１７、スピーカ１８、及び映像・音声データ保存部１９が設けられている。
【００２７】
ＣＰＵ１０は、メモリ１１に記録されているプログラムを実行することで各部を制御する。例えば、ＣＰＵ１０は、遠隔制御プログラムを実行することで、メタデータ処理部１２により取得される番組データ（映像・音声データ）に付加されたメタデータをリモコン２に送信し、リモコン２において選択された番組の再生位置（映像のジャンプ先）を示すメタデータを受信して、その再生位置に従って映像・音声処理部１６により映像・音声データ保存部１９に記録された番組データの再生を実行させる。
【００２８】
メモリ１１は、ＣＰＵ１０により実行される遠隔制御プログラムを含む各種プログラムやデータなどが記録されている。
【００２９】
メタデータ処理部１２は、ディジタルチューナ１５を通じて受信された番組データに付加されたメタデータに対する処理を実行するもので、メタデータを抽出してメタデータ保存部１３に保存しておく。また、メタデータ処理部１２には、番組データにメタデータが付加されていない場合には、番組データに含まれる映像・音声データをもとにしてメタデータを生成するメタデータ自動作成部１２ａが設けられている。
【００３０】
メタデータ保存部１３は、メタデータ処理部１２により抽出されたメタデータ、及びメタデータ自動作成部１２ａにより作成されたメタデータを保存する（図３参照）。
【００３１】
データ送受信部１４は、ＣＰＵ１０の制御のもとで、送受光部１４ａを通じてリモコン２との間で各種データの送受信を行う。データ送受信部１４は、テレビ１の動作、例えば電源のオンオフ、チャンネル切り替え、ボリューム調整などの制御をする制御データをリモコン２から受信してＣＰＵ１０に通知する。また、データ送受信部１４は、出力対象となっている番組データについてのメタデータの送信、及びリモコン２から送信されたメタデータの受信を行う。送受光部１４ａは、データ送受信部１４により送受信されるデータを赤外線信号に変換して、リモコン２の送受光部２４ａの間で送受信する。
【００３２】
ディジタルチューナ１５は、デジタルテレビ放送の電波をアンテナにより受信し、デジタルテレビ放送波から生成されるＲＦ（Radio Frequency）信号から所定の放送番組の信号を選択して入力し、放送データ（番組データ）に復調する。
【００３３】
映像・音声処理部１６は、番組データ（映像・音声データ）を、例えばメタデータにより再生開始位置が特定されるシーン毎に、その再生時刻を示す時刻データを対応付けて映像・音声データ保存部１９に保存する（図３（ｂ）参照）。また、映像・音声処理部１６は、ディジタルチューナ１５を通じて受信された番組データ、あるいは映像・音声データ保存部１９に記録された番組データを映像信号と音声信号に分離して、ディスプレイ１７において映像を表示させると共にスピーカ１８から音声を出力させる。映像・音声処理部１６は、ＣＰＵ１０の制御もとで、リモコン２から受信したメタデータ（ユーザが指示したシーンのジャンプ先）に応じた映像・音声データについて再生出力する。
【００３４】
ディスプレイ１７は、映像・音声処理部１６からの映像信号に応じた映像を表示する。スピーカ１８は、映像・音声処理部１６からの音声信号に応じた音声を出力させる。
【００３５】
映像・音声データ保存部１９は、映像・音声処理部１６によって番組データについて、例えばメタデータにより再生開始位置が特定されるシーン毎に、その再生時刻を示す時刻データが対応付けられて保存される。
【００３６】
一方、リモコン２には、ＣＰＵ２０、メタデータ処理部２１、メタデータ保存部２２、ボタン入力部２３、データ送受信部２４、送受光部２４ａ、表示制御部２５、及び表示パネル２６が設けられている。
【００３７】
ＣＰＵ２０は、リモコン２の各部を制御して、ユーザからの指示に応じた制御信号をテレビ１に送出する。
【００３８】
メタデータ処理部２１は、データ送受信部２４を通じてテレビ１から受信されるメタデータに対する処理を実行するもので、テレビ１からのメタデータをメタデータ保存部２２に保存すると共に、ユーザに選択させるためのメニューを生成して表示制御部２５により表示パネル２６において表示させる。メタデータ処理部２１は、ボタン入力部２３からメニュー中のメタデータを選択する指示が入力されると、メタデータ保存部２２から該当するメタデータを抽出して、データ送受信部２４によりテレビ１に送出させる。
【００３９】
メタデータ保存部２２は、メタデータ処理部２１により、データ送受信部２４を通じてテレビ１から受信したメタデータが記録される。
【００４０】
ボタン入力部２３は、リモコン２に設けられた複数のボタンに対するユーザによる操作に応じたデータを入力してＣＰＵ２０に通知する。リモコン２には、例えば電源をオンオフするための電源ボタン、チャンネル切り替えを指示するための数字ボタン、ボリュームを調整するボタンなどの他、リモコン２に対してシーンジャンプ（番組の再生位置の変更）を指示すためのシーンジャンプボタン２３ａ、表示パネル２６において表示されるメニューから選択対象を切り替えるために操作されるカーソルボタン２３ｂなどが設けられている。
【００４１】
データ送受信部２４は、ＣＰＵ２０の制御のもとで、送受光部２４ａを通じてテレビ１との間で各種データの送受信を行う。データ送受信部２４は、テレビ１の動作、例えば電源のオンオフ、チャンネル切り替え、ボリューム調整などの制御をする制御データを送信する。また、データ送受信部２４は、テレビ１からの番組データについてのメタデータの受信、及びメニューからユーザ操作によって選択されたメタデータの送信を行う。送受光部２４ａは、データ送受信部２４により送受信されるデータを赤外線信号に変換して、テレビ１の送受光部１４ａの間で送受信する。
【００４２】
表示制御部２５は、ＣＰＵ２０の制御のもとで、表示パネル２６において各種のデータを表示する。表示制御部２５は、例えばテレビ１から受信したメタデータを一覧表示する。
【００４３】
図３（ａ）には、テレビ１のメタデータ保存部１３に記録されるメタデータの一例を示している。図３（ａ）に示すように、メタデータは、再生位置が指定されるシーン（シーン１，２，３…）毎に記録される。例えば、映像の種類「ドラマで事件が起こった場面」のシーン、属性「野球の３回表」のシーン、キーワード「役者○○」が登場しているドラマ中のシーンなどを表すメタデータが記録される。また、各メタデータに対しては、各シーンの再生開始位置（例えば映像の先頭からの時間）を示す時刻データがそれぞれ対応付けて記録されている。
【００４４】
図３（ｂ）には、テレビ１の映像・音声データ保存部１９に記録される番組データ（映像・音声データ）の一例を示している。図３（ｂ）に示すように、番組データ中の各シーンの映像・音声データ（映像１，２，３…）と対応付けて時刻データが記録されている。
【００４５】
従って、図３（ａ）に示すメタデータ保存部１３を参照することで、時刻データをもとにして、図３（ｂ）に示す映像・音声データ保存部１９に保存された何れのシーンの映像・音声データを再生出力するかを特定することができる。
【００４６】
次に、本実施形態におけるテレビ１とリモコン２の動作について、図４に示すフローチャートを参照しながら説明する。  
ここで、デジタルテレビ放送は、映像・音声信号にメタデータが付加されて送信されてくるものとする。テレビ１は、アンテナからデジタルテレビ放送電波を受信して、ディジタルチューナ１５を経由してＣＰＵ１０で内部処理し、番組データ（映像・音声データ）を一時、メモリ１１に蓄積させる。
【００４７】
映像・音声処理部１６は、メモリ１１に蓄積された映像・音声データについて映像信号と音声信号に分離し、それぞれディスプレイ１７、スピーカ１８から出力させる。これと同時に、映像・音声処理部１６は、出力対象とした映像・音声データに時刻データを対応付けて映像・音声データ保存部１９に保存する。
【００４８】
一方、メタデータ処理部１２は、映像・音声処理部１６により出力対象となった映像・音声データに付加されたメタデータを抽出して、時刻データと対応づけてメタデータ保存部１３に保存する（ステップＢ１）。
【００４９】
また、メタデータ処理部１２は、テレビ映像がディスプレイ１７に出力されている間に、メタデータ保存部１３に記録されている出力対象となっている番組のメタデータをデータ送受信部１４に送出する。データ送受信部１４は、送受光部１４ａを通じてメタデータをリモコン２に送信する（ステップＢ２）。
【００５０】
ここでは、メタデータ保存部１３に記録されている映像の種類、属性、キーワードのメタデータのうち、例えば映像の種類に分類されるメタデータを抽出して送信する。
【００５１】
リモコン２のＣＰＵ２０は、データ送受信部２４を通じて、テレビ１からメタデータを受信するとメタデータ処理部２１を動作させる（ステップＣ１）。メタデータ処理部２１は、受信されたメタデータをメタデータ保存部２２に記録すると共に、メタデータから何れかをユーザに選択させるためのメニューを生成して表示制御部２５によって表示パネル２６において表示させる（ステップＣ２）。ここでは、メタデータに含まれる映像の種類、属性、キーワードに分類される何れかを対象としてメニューを生成して表示する。
【００５２】
図５（ａ）には、メタデータを選択肢としたメニューが表示された画面の一例を示している。図５（ａ）は、プロ野球番組についてのメタデータであり、例えば映像の種類に関するメタデータを一覧表示している。ここで、映像の種類として「ホームラン」「２塁打」「ヒット」「エラー」のメタデータが一覧表示されている。
【００５３】
表示パネル２６に表示されたメタデータのメニューを見たユーザは、ボタン入力部２３に対する操作によって何れかを任意に選択することができる。また、表示パネル２６の１画面中にテレビ１から受信したメタデータの全てを一覧表示できない場合には、例えばカーソルボタン２３ｂに対する操作によって画面をスクロールさせて、別のメタデータをメニュー中に表示させることができる。
【００５４】
基本的には、テレビ１から新たにメタデータが受信された場合には、このメタデータが優先して表示されるようにする。従って、多くのメタデータが時系列に受信された場合には、過去に受信されたメタデータについてはスクロールさせて表示させる必要がある。
【００５５】
ここでは、リモコン２をユーザが手で保持し、リモコン２に設けられた表示パネル２６に表示されたメタデータのメニューを参照しながら、カーソルボタン２３ｂの操作をすることができる。すなわち、ユーザは、手元だけを見て、所望のシーンを選択する操作をすることができるので、リモコン２の操作に慣れていなくても簡単に操作することができる。
【００５６】
こうして、ユーザによりメニュー中の何れかのメタデータが指定され、シーンジャンプボタン２３ａが押されると、ボタン入力部２３は、シーンジャンプボタン２３ａに対する入力を検出してメタデータ処理部２１に通知する（ステップＣ５）。
【００５７】
メタデータ処理部２１は、メタデータ保存部２２からメニュー中で指定されたメタデータを抽出し、データ送受信部２４に送出する。データ送受信部２４は、メタデータ処理部２１からのメタデータを、送受光部２４ａを通じてテレビ１に送信する。すなわち、リモコン２からメタデータが示すシーンからの番組の再生出力を要求する（ステップＣ６）。
【００５８】
テレビ１のデータ送受信部１４は、リモコン２からのメタデータを受信すると、このメタデータを一時メモリ１１に記録しておく（ステップＢ３）。ここでは、再生出力の要求を受信しているため（ステップＢ４、Ｙｅｓ）、メタデータ処理部１２は、メモリ１１に記録されたメタデータに該当する時刻データを、メタデータ保存部１３を参照して抽出する。すなわち、リモコン２から受信したメタデータを、メタデータ保存部１３に保存されているメタデータから検索して求め、この検索されたメタデータに対応付けられた時刻データを取得して、映像・音声処理部１６に送る。
【００５９】
映像・音声処理部１６は、メタデータ処理部１２から取得した時刻データをもとに映像・音声データ保存部１９に保存された時刻データを検索して、この時刻データに該当する映像・音声データを抽出する（ステップＢ７）。すなわち、メタデータに応じたシーンを再生出力するための映像・音声データを求める。
【００６０】
映像・音声処理部１６は、映像・音声データ保存部１９から抽出した映像・音声データを映像信号と音声信号に分離して、ディスプレイ１７において映像を表示させると共にスピーカ１８から音声を出力させる（ステップＢ８）。ここでは、映像・音声データ保存部１９に保存された映像・音声データの時間分の再生をしても良いし、この映像・音声データの再生出力が完了した後、後続する映像・音声データをもとに番組の再生出力を継続するようにしても良い。
【００６１】
ところで、図５（ａ）に示すように、映像の種類についてのメタデータのメニューが表示されている状態において、リモコン２に設けられた所定のボタンに対する操作によってメニューの表示切り替えが指示された場合には（ステップＣ３Ｙｅｓ）、メタデータ処理部２１は、別のメタデータの分類、すなわち属性またはキーワードのメニューを生成して表示させる。
【００６２】
この場合、メタデータ処理部２１は、データ送受信部２４を通じてテレビ１に対してメタデータの切り替え要求を送信する（ステップＣ４）。テレビ１のメタデータ処理部１２は、リモコン２から切り替えの要求を受信するとメタデータから該当データ、例えば先に映像の種類のメタデータを送信している場合には、属性のメタデータを抽出して、データ送受信部１４を通じて送信する（ステップＢ６）。
【００６３】
これにより、リモコン２のメタデータ処理部２１は、リモコン２から受信した属性のメタデータをもとにメニューを生成して、表示制御部２５により表示パネル２６において表示されるメニューを切り替えさせる。
【００６４】
図５（ｂ）は、プロ野球番組についてのメタデータであり、例えば属性に関するメタデータのメニューを表示している例を示している。ここで、属性として「１回表」「１回裏」「２回表」「２回裏」のメタデータが一覧表示されている。
【００６５】
このメニュー中から例えば「２回表」のメタデータが選択され、シーンジャンプボタン２３ａが押された場合には、野球番組の２回表からの映像を再生出力させることができる。
【００６６】
さらに、表示切り替えが指示された場合には、リモコン２は、例えば図５（ｃ）に示すメニューを表示させる。図５（ｃ）は、キーワードに関するメタデータのメニューを表示している例であり、キーワードとして選手名「選手１」「選手２」「選手３」のメタデータが一覧表示されている。
【００６７】
このメニュー中から例えば「選手３」のメタデータが選択され、シーンジャンプボタン２３ａが押された場合には、例えば野球番組中の選手３が映し出されている映像を再生出力させることができる。該当するシーンが複数ある場合には、番組の最初から選手３が映し出されているシーンを順次再生出力するようにしても良い。
【００６８】
なお、図５（ａ）（ｂ）（ｃ）に示すメニュー表示の例では、リモコンの表示画面中にメタデータのみを表示するとしているが、これを時刻データも合わせて表示するようにしても良い。また、メタデータのみの表示だけではなく、時刻データに該当する映像データも合わせて例えばサムネイル映像（画像）として表示することもできる。これにより、ユーザは、サムネイル映像とメタデータの両方を参照することにより、再生出力させようとするシーンを簡単に探し出して、再生実行（シーンジャンプ）を指示することができる。例えば、映像（画像）だけでは他のシーンと類似している場合でも、メタデータも同時に参考にすることにより所望するシーンを特定することができる。
【００６９】
また、前述した説明では、デジタルテレビ放送により受信される映像・音声データにメタデータが付加されているものとして説明しているが、メタデータが付加されていない場合にも、メタデータ自動作成部１２ａによりメタデータ生成処理を処理を実行することにより対応することができる。
【００７０】
この場合、テレビ１は、ディジタルチューナ１５を通じてデジタルテレビ放送電波を受信すると、映像・音声処理部１６において映像・音声信号を処理してディスプレイ１７に映像を表示すると共にスピーカ１８から音声を出力させる。この処理と同時に、メタデータ処理部１２のメタデータ自動作成部１２ａは、メタデータ生成処理を実行することにより、映像データと音声データをもとにしてメタデータを自動生成し、映像・音声の再生開始位置を示す時刻データと対応づけてメタデータ保存部１３に保存しておく。
【００７１】
本実施形態におけるテレビ１では、例えば図６に示すように、メタデータを、番組名、映像の特徴を示す映像データ、画面中に表示される画面テロップ、文字字幕データ、音声データについて音声認識することにより得られたテキストをもとに自動生成するものとする。生成されたメタデータは、映像・音声の再生開始位置を示す時刻データと対応づけて、メタデータ保存部１３に保存される。
【００７２】
図７には、メタデータ自動作成部１２ａにおけるメタデータ生成処理の詳細を示すフローチャートを示している。
【００７３】
例えば、メタデータ自動作成部１２ａは、番組データに付加された番組名のデータからテキストデータを抽出する（ステップＡ１）。また、映像データ中から映像の特徴、例えば、カメラアングル、色情報、映像中の物体形状等を抽出し、その特徴を表すテキストデータを生成する（ステップＡ２）。また、映像中で画面テロップ、あるいは文字字幕が表示されている場合には、これらの文字について文字認識処理を実行し、それぞれについてテキストデータを生成する（ステップＡ３，Ａ４）。さらに、音声データについて音声認識処理を実行し、音声内容を表すテキストデータを生成する（ステップＡ５）。メタデータ自動作成部１２ａは、前述のように番組データ中に含まれる各種情報をもとにして得られた全てのテキストデータを合成し（ステップＡ６）、最後にそれぞれのテキストデータが抽出された番組の再生位置を示す時刻データを貼り付ける（ステップＡ７）。これによりメタデータが生成される。
【００７４】
このようにして、映像音声データからメタデータを自動的に作成することにより、デジタルテレビ放送によって受信される番組データにメタデータが付加されていない場合でも、自装置で作成したメタデータを用いて、リモコン２からの指示に応じたシーンジャンプの制御を実行することができる。
【００７５】
なお、前述した説明では、メタデータとして映像の種類、属性、キーワードを対象としているが、その他のデータ、例えば番組名、シーン名、取材地、制作日、著作権保護情報など、各種のデータを対象とすることができる。
【００７６】
また、前述した実施形態では、デジタルテレビ放送を受信して、映像と音声を出力しながら番組データのメタデータをリモコン２に送信し、リモコン２においてメタデータを用いてシーンジャンプの指定ができるようにしているが、映像・音声データ保存部１９に以前に保存されている番組データを対象とすることもできる。
【００７７】
例えば、テレビ１の映像・音声データ保存部１９に保存されている複数の番組データから再生対象を、テレビ１に設けられたボタン（図示せず）の操作、あるいはリモコン２から選択できるものとする。ここで何れかの番組データが選択された場、メタデータ処理部１２は、この番組データに該当するメタデータをリモコン２に送信させる。リモコン２は、テレビ１から受信したメタデータをもとにメニューを表示して、ユーザにより選択させ、この選択されたメタデータをテレビ１に送信する。テレビ１は、リモコン２から受信したメタデータに応じて、映像・音声データ保存部１９に保存された過去に蓄積された番組データの該当するシーンから再生出力させる。
【００７８】
また、前述した説明では（図４）、リモコン２において表示切替の要求が入力された場合には、テレビ１に対して切り替え指令を送信して、メタデータから抽出された指定データを新たに受信することで、図５に示すように選択メニューの表示切り替えをおこなっているが、例えばリモコン２に再生対象とする番組についての全てのメタデータを予め送信しておくことで、テレビ１との通信をすることなく選択メニューの切り替えをするようにしても良い。この場合、リモコン２は、ユーザからの表示切り替え要求に対して、メタデータ中から指定データを抽出し、そのデータをもとに選択メニューを生成して表示させる。
【００７９】
また、前述した実施形態では、映像・音声データを記録再生することができるテレビ１をリモコン２によって遠隔制御する場合について説明しているが、テレビ１とは別に構成された、デジタルコンテンツを記録可能な記録装置をリモコン２によって遠隔制御するものとしても良い。この場合、リモコン２は、記録装置からメタデータを受信し、このメタデータをもとに選択メニューを表示する。また、記録装置は、リモコン２からメタデータを用いた表示切り替えが指令された場合に、メタデータが示す位置の番組データを再生して、例えばテレビに出力する。
【００８０】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８１】
【図１】本発明の実施の形態における記録再生装置としてのテレビ１と遠隔制御装置としてのリモコン２からなるシステム構成を示す図。
【図２】本実施形態におけるテレビ１とリモコン２の機能構成を示すブロック図。
【図３】本実施形態におけるテレビ１のメタデータ保存部１３と映像・音声データ保存部１９に記録されるデータの一例を示す図。
【図４】本実施形態におけるテレビ１とリモコン２の動作について説明するためのフローチャート。
【図５】本実施形態におけるメタデータを選択肢としたメニューが表示された画面の一例を示す図。
【図６】本実施形態におけるメタデータの生成を説明するための図。
【図７】本実施形態におけるメタデータ自動作成部１２ａにおけるメタデータ生成処理の詳細を示すフローチャート。
【符号の説明】
【００８２】
１…テレビ、２…リモコン、１０，２０…ＣＰＵ、１１…メモリ、１２，２１…メタデータ処理部、１２ａ…メタデータ自動作成部、１３，２２…メタデータ保存部、１４，２４…データ送受信部、１４ａ…送受光部、１５…ディジタルチューナ、１６…映像・音声処理部、１７…ディスプレイ、１８…スピーカ、１９…映像・音声データ保存部、２３…ボタン入力部、２３ａ…シーンジャンプボタン、２３ｂ…カーソルボタン、２４ａ…送受光部、２５…表示制御部、２６…表示パネル。
【図１】
2006025120.tif 000003
【図２】
2006025120.tif 000004
【図３】
2006025120.tif 000005
【図４】
2006025120.tif 000006
【図５】
2006025120.tif 000007
【図６】
2006025120.tif 000008
【図７】
2006025120.tif 000009